(57)【要約】【課題】表示装置を構成する表示装置本体と別体の個別装置の故障検査及び修理が容易な表示装置本体、個別装置、表示装置及び検査方法を提供する。【解決手段】制御部を有する表示部と、表示装置本体とは別体の個別装置が接続される第１のコネクタを有する第１の接続部と、を備え、前記第１のコネクタは、複数の端子を有し、前記第１の接続部は、前記個別装置が前記第１のコネクタに接続されたときに前記第１のコネクタの前記複数の端子がデイジーチェーン接続となるように、前記第１のコネクタの前記端子どうしが接続された第１の状態と、前記第１のコネクタの前記複数の端子を介して前記個別装置と前記表示部との間で信号の入出力が実行されるように前記第１のコネクタの前記複数の端子と前記表示部とが接続された第２の状態と、を有することを特徴とする表示装置本体が提供される。【選択図】図１
2011057014.tif 000002
【特許請求の範囲】
【請求項１】
制御部を有する表示部と、
表示装置本体とは別体の個別装置が接続される第１のコネクタを有する第１の接続部と、
を備え、
前記第１のコネクタは、複数の端子を有し、
前記第１の接続部は、
前記個別装置が前記第１のコネクタに接続されたときに前記第１のコネクタの前記複数の端子がデイジーチェーン接続となるように、前記第１のコネクタの前記端子どうしが接続された第１の状態と、
前記第１のコネクタの前記複数の端子を介して前記個別装置と前記表示部との間で信号の入出力が実行されるように前記第１のコネクタの前記複数の端子と前記表示部とが接続された第２の状態と、
を有することを特徴とする表示装置本体。
【請求項２】
前記第１の接続部は、前記第１のコネクタを含む部分が交換可能に構成されていることを特徴とする請求項１記載の表示装置本体。
【請求項３】
表示装置本体に接続される第２のコネクタを有する第２の接続部を備え、
前記第２のコネクタは、複数の端子を有し、
前記第２の接続部は、前記表示装置本体に接続されたときに前記第２のコネクタの前記複数の端子がデイジーチェーン接続となるように前記第２のコネクタの前記端子どうしが接続された第１の状態を有することを特徴とする個別装置。
【請求項４】
前記第２の接続部は、前記第２のコネクタの前記複数の端子を介して前記表示装置本体との間で信号の入出力が実行されるように前記第２のコネクタの前記端子どうしの前記接続が解除された第２の状態をさらに有することを特徴とする請求項３記載の個別装置。
【請求項５】
請求項１または２に記載の表示装置本体と、
前記表示装置本体に接続される第２のコネクタを有する第２の接続部を有し、
前記第２のコネクタは、複数の端子を有し、
前記第２の接続部は、前記表示装置本体に接続されたときに前記第２のコネクタの前記複数の端子がデイジーチェーン接続となるように前記第２のコネクタの前記端子どうしが接続された第１の状態を有する個別装置と、
を備えたことを特徴とする表示装置。
【請求項６】
前記第２の接続部は、前記第２のコネクタの前記複数の端子を介して前記表示装置本体との間で信号の入出力が実行されるように前記第２のコネクタの前記端子どうしの前記接続が解除された第２の状態を有することを特徴とする請求項５記載の表示装置。  
【請求項７】
制御部を有する表示部と、表示装置本体とは別体の個別装置が接続される第１のコネクタを有する第１の接続部と、を備えた表示装置本体と、
前記表示装置本体に接続される複数の端子を有する第２のコネクタを有する第２の接続部を備えた個別装置と、
を検査する方法であって、
前記表示部からの検査信号により、
前記第１及び第２の接続部を、前記第１のコネクタの前記複数の端子と前記第２のコネクタの前記複数の端子とがデイジーチェーン接続となる第１の状態にする工程と、
前記第１のコネクタの前記端子からのリターン信号により、導通を検査する工程と、
を備えたことを特徴とする検査方法。
【請求項８】
前記表示部からの自己診断信号により、
前記第１の接続部を、前記第１のコネクタの前記複数の端子を介して前記個別装置と前記表示部との間で信号の入出力が実行されるように前記第１のコネクタの前記複数の端子と前記表示部とが接続された第２の状態にし、
かつ前記第２の接続部を、前記第２のコネクタの前記複数の端子を介して前記表示装置本体との間で信号の入出力が実行されるように前記第２のコネクタの前記端子どうしの前記接続が解除された第２の状態にすることにより、
前記第１のコネクタと前記第２のコネクタとを介して前記個別装置と前記表示部との間で信号の入出力が実行される状態にする工程と、
前記個別装置が自己診断する工程と、
前記個別装置の自己診断の結果を、前記表示装置本体に出力する工程と、
をさらに備えたことを特徴とする請求項７記載の検査方法。
【発明の詳細な説明】
【技術分野】
【０００１】
本発明は、表示装置本体、個別装置、表示装置及び検査方法に関し、特に表示装置本体と個別装置とを接続するコネクタを有する表示装置本体、個別装置、表示装置及び検査方法に関する。
【背景技術】
【０００２】
表示装置に表示する情報は、映像情報やコンピュータデータなど多様化しており、表示装置は、高機能化している。従来の車載用表示装置は、複数の機能をあらかじめ組み込んだ状態で構成されていた（例えば、特許文献１参照）。
そのため、一部のユーザにとって不要な機能も分離不可能な状態に構成され、割高なものとなっていた。また、新技術に対応した装置を追加することは不可能であり、買い換えなければならなかった。
【０００３】
そこで、発明者らは、表示装置を表示装置本体に別体の個別装置をコネクタで接続する構成とすることにより、選択的に機能を拡張できる表示装置を案出した。
【先行技術文献】
【特許文献】
【０００４】
【特許文献１】特開２００８−１４３５２０号公報
【発明の概要】
【発明が解決しようとする課題】
【０００５】
しかし、表示装置を表示装置本体と個別装置とに分離して構成すると、接続部分で故障し易いという新たな問題の発生が予測される。
本発明は、表示装置を構成する表示装置本体と別体の個別装置の故障検査及び修理が容易な表示装置本体、個別装置、表示装置及び検査方法を提供する。
【課題を解決するための手段】
【０００６】
本発明の一態様によれば、制御部を有する表示部と、表示装置本体とは別体の個別装置が接続される第１のコネクタを有する第１の接続部と、を備え、前記第１のコネクタは、複数の端子を有し、前記第１の接続部は、前記個別装置が前記第１のコネクタに接続されたときに前記第１のコネクタの前記複数の端子がデイジーチェーン接続となるように、前記第１のコネクタの前記端子どうしが接続された第１の状態と、前記第１のコネクタの前記複数の端子を介して前記個別装置と前記表示部との間で信号の入出力が実行されるように前記第１のコネクタの前記複数の端子と前記表示部とが接続された第２の状態と、を有することを特徴とする表示装置本体が提供される。
【０００７】
また、本発明の他の一態様によれば、表示装置本体に接続される第２のコネクタを有する第２の接続部を備え、前記第２のコネクタは、複数の端子を有し、前記第２の接続部は、前記表示装置本体に接続されたときに前記第２のコネクタの前記複数の端子がデイジーチェーン接続となるように前記第２のコネクタの前記端子どうしが接続された第１の状態を有することを特徴とする個別装置が提供される。
【０００８】
また、本発明の他の一態様によれば、表示装置本体と、前記表示装置本体に接続される第２のコネクタを有する第２の接続部を有し、前記第２のコネクタは、複数の端子を有し、前記第２の接続部は、前記表示装置本体に接続されたときに前記第２のコネクタの前記複数の端子がデイジーチェーン接続となるように前記第２のコネクタの前記端子どうしが接続された第１の状態を有する個別装置と、を備えたことを特徴とする表示装置が提供される。
【０００９】
また、本発明の他の一態様によれば、制御部を有する表示部と、表示装置本体とは別体の個別装置が接続される第１のコネクタを有する第１の接続部と、を備えた表示装置本体と、前記表示装置本体に接続される複数の端子を有する第２のコネクタを有する第２の接続部を備えた個別装置と、を検査する方法であって、前記表示部からの検査信号により、前記第１及び第２の接続部を、前記第１のコネクタの前記複数の端子と前記第２のコネクタの前記複数の端子とがデイジーチェーン接続となる第１の状態にする工程と、前記第１のコネクタの前記端子からのリターン信号により、導通を検査する工程と、を備えたことを特徴とする検査方法が提供される。
【発明の効果】
【００１０】
本発明によれば、表示装置を構成する表示装置本体と別体の個別装置の故障検査及び修理が容易な表示装置本体、個別装置、表示装置及び検査方法が提供される。
【図面の簡単な説明】
【００１１】
【図１】本発明の実施形態に係る表示装置本体の構成を例示するブロック図である。
【図２】第１のコネクタの各端子の接続状態を例示する回路図である。
【図３】第１のコネクタの各端子の接続状態を例示する他の回路図である。
【図４】第１の接続部の構成を例示する回路図である。
【図５】本発明の実施形態に係る個別装置の構成を例示するブロック図である。
【図６】第２のコネクタの各端子の接続状態を例示する回路図である。
【図７】第２のコネクタの各端子の接続状態を例示する他の回路図である。
【図８】本発明の実施形態に係る表示装置本体と個別装置とを接続した表示装置の構成を例示するブロック図である。
【図９】第１及び第２のコネクタの各端子の接続状態を例示する回路図である。
【図１０】第１及び第２のコネクタの各端子の接続状態を例示する他の回路図である。
【図１１】本発明の実施形態に係る検査方法を例示するフローチャートである。
【図１２】本発明の実施形態に係る検査方法を例示する他のフローチャートである。
【図１３】本発明の実施形態に係る個別装置の構成を例示するブロック図である。
【図１４】本発明の実施形態に係る検査方法を例示する他のフローチャートである。
【図１５】本発明の実施形態に係る表示装置本体の他の構成を例示するブロック図である。
【発明を実施するための形態】
【００１２】
以下、本発明の実施形態について図面を参照して詳細に説明する。
なお、本願明細書と各図において、既出の図に関して前述したものと同様の要素には同一の符号を付して詳細な説明は適宜省略する。
【００１３】
図１は、本発明の実施形態に係る表示装置本体の構成を例示するブロック図である。
図１に表したように、表示装置本体１は、表示部２と、第１の接続部３とを備える。
表示部２は、制御部１０を有し、第１の接続部３から信号を入力して映像情報として表示する。また、表示部２は、図示しない入力部を有し、第１の接続部３に信号を出力する。
【００１４】
制御部１０は、表示部２の表示、第１の接続部３を制御する。例えば、マイクロコンピュータ（ＭＰＵ）などで構成される。
表示部２は、制御部１０と例えば、液晶表示ディスプレイ、タッチパネルなどで構成される。なお、表示装置本体１は、情報処理機能を有することができる。例えば制御部１０によりタッチパネルからの入力を処理し、液晶表示ディスプレイに情報を表示してもよい。
【００１５】
第１の接続部３は、第１のコネクタ４ａ〜４ｄ、リレー回路５ａ〜５ｄ、ＨＵＢ９を有する。
第１のコネクタ４ａ〜４ｄは、個別装置を接続するためのコネクタである。なお、個別装置については、図５において説明する。
図１においては、第１の接続部３が第１のコネクタ４ａ〜４ｄを４つ有する場合を例示しているが、１つでもよく任意数有することができる。また、図１においては、第１のコネクタ４ａは端子８ａ〜８ｆの６つを有する場合を例示しているが、端子数は２以上の任意数有することができる。
【００１６】
リレー回路５ａ〜５ｄは、第１の状態において、図５に表した個別装置１１が接続されたときに第１のコネクタ４ａ〜４ｄの複数の端子がデイジーチェーン接続となるように、第１のコネクタ４ａ〜４ｄの端子８ａ〜８ｆを接続する。また、リレー回路５ａ〜５ｄは、第２の状態において、第１のコネクタ４ａ〜４ｄの端子８ａ〜８ｆを介して個別装置と表示部２との間で信号の入出力が実行されるように第１のコネクタ４ａ〜４ｄの端子８ａ〜８ｆと表示部２とを接続する。
【００１７】
例えば、図２において説明するように、第１の状態において、それぞれ第１のコネクタ４ａ〜４ｄの互いに隣接する端子をそれぞれ一対ずつ接続する。また第２の状態おいて、第１のコネクタ４ａ〜４ｄの複数の端子と表示部２とをＨＵＢ９を介して接続する。
【００１８】
ＨＵＢ９は、第１のコネクタ４ａ〜４ｄの複数の端子と表示部２とを接続する。例えば、表示部２の制御部１０のＭＰＵとＵＳＢ（Universal Serial Bus）で接続するＵＳＢ  ＨＵＢを用いることができる。なお、図１においては、ＨＵＢ９を介してリレー回路５ａ〜５ｄの信号線７ａ〜７ｄを表示部２に接続する構成を例示しているが、信号線７ａ〜７ｄをまとめたバス７を直接表示部２に接続してもよい。
【００１９】
図２は、第１のコネクタの各端子の接続状態を例示する回路図である。
図２（ａ）は、第１の状態を表している。また、図２（ｂ）は、第２の状態を表している。なお、図２においては、第１のコネクタ４ａの各端子のうち、接地及び電源端子を除く信号線の端子について図示している。また、信号線の端子数が偶数の場合について例示している。
【００２０】
図２（ａ）に表したように、リレー回路５ａは、第１の状態において、図５に表した個別装置１１が接続されたときに第１のコネクタ４ａの複数の端子がデイジーチェーン接続となるように、端子８ａ〜８ｆどうしを接続する。図２（ａ）においては、第１のコネクタ４ａの互いに隣接する端子８ｂと８ｃ、８ｄと８ｅをそれぞれ一対ずつ接続する場合を例示している。すなわち、端子８ｂと８ｃを接続し、端子８ｄと８ｅとを接続している。
第１のコネクタ４ａの端子８ａ、８ｆは、ＨＵＢ９を介してそのまま表示部２に接続される。
【００２１】
また、図２（ｂ）に表したように、リレー回路５ａは、第２の状態において、第１のコネクタ４ａの端子８ａ〜８ｆを介して個別装置１１と表示部２との間で信号の入出力が実行されるように第１のコネクタ４ａの端子８ａ〜８ｆをＨＵＢ９を介して表示部２と接続する。すなわち、リレー回路５ａは、第２の状態において、第１のコネクタ４ａの各端子８ａ〜８ｆをＨＵＢ９にそのまま接続する。
【００２２】
同様にリレー回路５ｂ〜５ｄは、それぞれ第１の状態と第２の状態とを有する。
なお、図２においては、第１のコネクタ４ａの信号線の端子数が偶数の場合を例示したが、信号線の端子数が奇数の場合は、第１の状態において、デイジーチェーン接続すると１つ端子が残る。
【００２３】
図３は、第１のコネクタの各端子の接続状態を例示する他の回路図である。
図３においては、第１のコネクタ４ａの信号線の端子数が奇数７の場合について、第１の状態の各端子の接続状態を例示している。
図３に表したように、互いに隣接する端子８ｂ、８ｃ及び８ｄ、８ｅをそれぞれ一対ずつ接続する。すなわち、端子８ｂと８ｃを接続し、端子８ｄと８ｅとを接続する。
【００２４】
また、第１のコネクタ４ａの端子８ａ、８ｆ、８ｇは、ＨＵＢ９を介してそのまま表示部２に接続される。
第１及び第２の状態を有するリレー回路５ａは、例えば、スイッチ素子を用いて構成することができる。
【００２５】
図４は、第１の接続部の構成を例示する回路図である。
図４においては、第１の接続部３のリレー回路５ａとしてスイッチ素子Ｓ１〜Ｓ４を用いた構成を例示している。なお、スイッチ素子Ｓ１〜Ｓ４は、例えば、ＦＥＴなどにより構成することができる。
【００２６】
図４に表したように、第１のコネクタ４ａの端子８ａ、８ｆについては、リレー回路５ａは、そのままＨＵＢ９に接続する。また、第１及び第２の状態において接続状態が変化する他の端子８ｂ〜８ｅについては、それぞれスイッチ素子Ｓ１〜Ｓ４を介してＨＵＢ９に接続される。
【００２７】
すなわち、端子８ｂ〜８ｅは、それぞれスイッチ素子Ｓ１〜Ｓ４の共通端子に接続される。スイッチ素子Ｓ１〜Ｓ４は、第１の状態のときそれぞれの共通端子がＨＵＢ９に接続され、第２の状態のときスイッチ素子Ｓ１の共通端子とスイッチ素子Ｓ２の共通端子、スイッチ素子Ｓ３の共通端子とスイッチ素子Ｓ４の共通端子がそれぞれ接続されるように制御される。
【００２８】
なお、スイッチ素子Ｓ１〜Ｓ４は、端子８ａまたは端子８ｆの信号により制御することができる（図示せず）。また、ＨＵＢ９から制御用の信号（図示せず）を出力して制御することもできる。
次に、表示装置本体１に接続される個別装置について説明する。
【００２９】
図５は、本発明の実施形態に係る個別装置の構成を例示するブロック図である。
図５に表したように、個別装置１１は、機能部１２と、第２の接続部１３を備える。
機能部１２は、表示装置本体１にない拡張機能を提供する。また、表示装置本体１が有する機能であっても、重複して提供することもできる。例えば、ＣＤ、ＤＶＤなどを再生するオーディオビジュアル（ＡＶ）機能を提供する。また、ワンセグ、デジタルテレビジョン信号などを受信するテレビジョン受信（ＴＶ）機能を提供する。また、有線、無線のネットワークと通信するネットワーク（ＮＥＴ）機能を提供する。さらに、ＧＰＳ信号を受信し別に取得した地図情報から位置情報を表示するナビゲーション（ＮＡＶＩ）機能などを提供する。なお、表示装置本体１及び個別装置１１の検査機能については、機能部１２はなくてもよい。
【００３０】
第２の接続部１３は、第２のコネクタ１４、リレー回路１５を有する。
第２のコネクタ１４は、表示装置本体１の第１のコネクタ４ａ〜４ｄのいずれか１つに接続される。
リレー回路１５は、第１の状態と第２の状態とを有する。リレー回路１５は、第１の状態において、表示装置本体１が接続されたときに第２のコネクタ１４の複数の端子がデイジーチェーン接続となるように第２のコネクタ１４の端子１８ａ〜１８ｆどうしを接続する。また、第２の状態において、第２のコネクタ１４の端子１８ａ〜１８ｆを介して表示装置本体１との間で信号の入出力が実行されるように第２のコネクタ１４の端子１８ａ〜１８ｆどうしの接続を解除する。すなわち、第２の状態において、第２のコネクタ１４の各端子１８ａ〜１８ｆと機能部１２とを接続する。
【００３１】
図６は、第２のコネクタの各端子の接続状態を例示する回路図である。
図６（ａ）は、第１の状態を表している。また、図６（ｂ）は、第２の状態を表している。なお、図６においては、第２のコネクタ１４の端子のうち、接地及び電源端子を除く信号線の端子について、端子数が偶数の場合を表している。
【００３２】
図６（ａ）に表したように、リレー回路１５は、第１の状態において、表示装置本体１が接続されたときに第２のコネクタ１４の複数の端子がデイジーチェーン接続となるように第２のコネクタ１４の端子１８ａ〜１８ｆどうしを接続する。図６（ａ）においては、第２のコネクタ１４の互いに隣接する端子１８ａと１８ｂ、１８ｃと１８ｄ、１８ｅと１８ｆをそれぞれ一対ずつ接続する場合を例示している。すなわち、端子１８ａと１８ｂを接続し、端子１８ｃと１８ｄを接続し、端子１８ｅと１８ｆとを接続する。
【００３３】
また、図６（ｂ）に表したように、リレー回路１５は、第２の状態において、第２のコネクタ１４の端子１８ａ〜１８ｆを介して機能部１２と表示装置本体１との間で信号の入出力が実行されるように第２のコネクタ１４の端子１８ａ〜１８ｆどうしの接続を解除する。図６（ｂ）においては、第２のコネクタ１４の各端子１８ａ〜１８ｆを信号線１６、１７を介して機能部１２にそのまま接続している。
【００３４】
なお、図６においては、第２のコネクタ１４の信号線の端子数が偶数の場合を例示したが、信号線の端子数が奇数の場合は、第１の状態において、互いに隣接する端子をそれぞれ一対ずつ接続すると１つの端子が残る。
【００３５】
図７は、第２のコネクタの各端子の接続状態を例示する他の回路図である。
図７においては、第２のコネクタ１４の信号線の端子数が奇数７の場合について、第１の状態の各端子の接続状態を例示している。
図７に表したように、互いに隣接する端子１８ａと１８ｂ、１８ｃと１８ｄ、１８ｅと１８ｆをそれぞれ一対ずつ接続する。すなわち、端子１８ａと１８ｂとを接続し、端子１８ｃと１８ｄとを接続し、端子１８ｅと１８ｆとを接続する。
【００３６】
また、第２のコネクタ１４の端子１８ｇは、端子１８ｅ及び１８ｆに接続される。
このように、第１及び第２の状態を有するリレー回路１５は、例えば、スイッチ素子を用いて構成することができる。
なお、図示しないが、リレー回路１５の第１及び第２の状態の制御は、端子１８ａまたは端子１８ｆの信号により制御することができる。
【００３７】
図８は、本発明の実施形態に係る表示装置本体と個別装置とを接続した表示装置の構成を例示するブロック図である。
図８に表したように、表示装置本体１と個別装置１１とは、第１及び第２のコネクタ４ａ、１４により接続される。
【００３８】
第１及び第２のコネクタ４ａ、１４が接続されると、第１のコネクタ４ａの端子８ａ〜８ｆと第２のコネクタ１４の端子１８ａ〜１８ｆとは、それぞれ接続される。なお、図８においては、第２のコネクタ１４を第１のコネクタ４ａに接続した場合を例示している。しかし、第２のコネクタ１４は、第１のコネクタ４ｂ〜４ｄに接続することもできる。
【００３９】
図９は、第１及び第２のコネクタの各端子の接続状態を例示する回路図である。
図９（ａ）は、第１及び第２のコネクタ４ａ、１４が第１の状態のときを表している。また、図９（ｂ）は、第１及び第２のコネクタ４ａ、１４が第２の状態のときを表している。
【００４０】
図９（ａ）に表したように、第１及び第２のコネクタ４ａ、１４が第１の状態のときは、第１及び第２のコネクタ４ａ、１４の端子８ａ〜８ｆ、１８ａ〜１８ｆはデイジーチェーン接続される。すなわち、端子８ａと８ｆは、端子８ｂ〜８ｅ、１８ａ〜１８ｆを介して接続される。
【００４１】
また、図９（ｂ）に表したように、第１及び第２のコネクタ４ａ、１４が第２の状態のときは、第１及び第２のコネクタ４ａ、１４の各端子８ａ〜８ｆ、１８ａ〜１８ｆは、それぞれＨＵＢ９、機能部１２と接続される。従って、第２の状態のとき、ＨＵＢ９と機能部１２とは、第１及び第２のコネクタ４ａ、１４を介して入出力可能となる。
【００４２】
なお、図３に表したように、第１及び第２のコネクタ４ａ、１４の端子数が奇数の場合は、第１の状態のときデイジーチェーン接続されたパスが２つあるものとして、導通検査を行うことができる。すなわち、端子８ａから端子８ｆへのデイジーチェーンと、端子８ａから端子８ｇへのデイジーチェーンとの２つである。
【００４３】
図９においては、第１及び第２のコネクタ４ａ、１４の各端子の接続状態を例示した。しかし、第１及び第２のコネクタ４ａ、１４の各端子は、第１及び第２の状態となればよく他にも可能である。
図１０は、第１及び第２のコネクタの各端子の接続状態を例示する他の回路図である。
図１０においては、第１のコネクタ４ａの端子８ｂと８ｄ、８ｃと８ｅをそれぞれ接続し、第２のコネクタ１４の端子１８ａと１８ｄ、１８ｂと１８ｃ、１８ｅと１８ｆをそれぞれ接続する場合を例示している。
【００４４】
このように、第１及び第２のコネクタ４ａ、１４の複数の端子が、第１の状態のときデイジーチェーン接続となればよい。すなわち、第１のコネクタ４ａの任意の２端子間を接続し、同時に第２のコネクタ１４の複数の端子のうち第１のコネクタ４ａ側で接続されていない任意の２端子を接続すればよい。また、第２の状態のとき第１のコネクタ４ａの端子８ａ〜８ｆはＨＵＢ９に接続される。また第２のコネクタ１４の端子１８ａ〜１８ｆは機能部１２と接続される。
【００４５】
次に、図８に表した表示装置本体と個別装置（表示装置）の検査時の動作、すなわち、表示装置本体と個別装置（表示装置）の検査方法について説明する。
まず、第１及び第２のコネクタ４ａ、１４の導通検査方法について説明する。
図１１は、本発明の実施形態に係る検査方法を例示するフローチャートである。
図１１に表したように、表示部２に個別装置１１を接続の指示を表示する（ステップＳ１０）。なお、第１のコネクタ４ａ〜４ｄを複数備える場合は、どの第１のコネクタに接続すべきかを表示してもよい。なお、各処理は、表示部２の制御部１０により制御される。
【００４６】
個別装置１１が接続されたか確認する（ステップＳ１１）。
接続が確認できない場合（ステップＳ１１：Ｎｏ）、ステップＳ１０に戻り表示を継続する。
接続が確認できた場合（ステップＳ１１：Ｙｅｓ）、全ての第１のコネクタ４ａ〜４ｄに対して導通検査を実施したか判断する。例えば、ｎ個の第１のコネクタを有する場合は、ｎ回目が終了したか判断する（ステップＳ１２）。
【００４７】
ｎ回未満である場合、すなわち導通検査をしていない第１のコネクタが残っている場合は、次のステップＳ１３に進む（ステップＳ１２：Ｎｏ）。
また、ｎ回終了した場合、すなわち全ての第１のコネクタについて導通検査が終了した場合は、次のステップＳ１７に進む（ステップＳ１２：Ｙｅｓ）。
【００４８】
ステップＳ１３で、表示装置本体１から検査信号を送信して、第１及び第２のコネクタ４ａ、１４を第１の状態にする。すなわち、第１及び第２のコネクタ４ａ、１４の複数の端子がデイジーチェーン接続される状態にする。なお、検査信号の送信は、表示部２に接続されている第１のコネクタ４ａの端子８ａまたは８ｆに第２の状態と異なるハイレベルまたはローレベルの信号を出力することにより可能である。また、端子８ａまたは８ｆに特定のデータを出力してもよい。
【００４９】
表示装置本体１から、導通検査信号を送信する（ステップＳ１４）。なお、導通検査信号は、上記のステップＳ１４における検査信号と同じでもよい。すなわち、端子８ａまたは８ｆを第２の状態と異なるハイレベルまたはローレベルとする。また、検査信号と別信号でもよく、例えば検査信号と異なる特定のデータを出力してもよい。
【００５０】
リターン信号を確認する（ステップＳ１５）。なお、リターン信号は、例えば端子８ａまたは８ｆに導通検査信号を送信した場合は、端子８ｆまたは８ａにリターンされる信号である。
【００５１】
リターン信号が確認できた場合（ステップＳ１５：Ｙｅｓ）、第１及び第２のコネクタ４ａ、１４の導通が確認できたことになり、導通検査は完了する。なお、第１のコネクタを複数備える場合は、ここで導通不良の第１のコネクタを特定することができ、表示部２に不良の第１のコネクタを表示することができる。
リターン信号が確認できない場合（ステップＳ１５：Ｎｏ）、第１及び第２のコネクタ４ａ、１４の導通が確認できないことなり、ステップＳ１６に進む。
【００５２】
表示部２に差し込み口変更の指示を表示して、ステップＳ１０に戻る（ステップＳ１６）。
すなわち、まだ導通検査していない第１のコネクタに接続するように指示を表示する。なお、このステップＳ１６の表示部２への表示は、一定時間後にステップＳ１０の表示に切り替えてもよく、また、ステップＳ１０の表示をとばしてもよい。
【００５３】
ステップＳ１７において、他の個別装置が有るか確認する。
すなわち、ステップＳ１７に進むのは、導通検査がｎ回終了した場合（ステップＳ１２：Ｙｅｓ）であり、全ての第１のコネクタ４ａ〜４ｄに対して導通が確認できなかった場合である。
【００５４】
この場合、第１のコネクタ４ａ〜４ｄを備える表示装置本体１側の故障か、第２のコネクタ１４を備える個別装置１１側の故障かを特定できない。
そこで、他の個別装置がない場合（ステップＳ１７：Ｎｏ）、表示部２にディーラへの持ち込みを表示して検査を完了する（ステップＳ１８）。
【００５５】
また、他の個別装置が有る場合（ステップＳ１７：Ｙｅｓ）、表示部２に個別装置の変更の指示を表示する（ステップＳ１９）。
導通検査確認回数を開始状態に戻し（ステップＳ２０）、ステップＳ１０に戻る。すなわち、他の個別装置を用いて、再度導通検査を行う。
【００５６】
このとき、リターン信号が有り（ステップＳ１５：Ｙｅｓ）、導通を確認できた場合は、前の個別装置の導通不良と判断できる。その結果を表示部２に表示してもよい。
このように、表示装置本体１と個別装置１１とを接続した表示装置によれば、通常動作時と同じ状態で、故障時の第１及び第２のコネクタ４ａ〜４ｄ、１４の導通検査を行うことができる。
【００５７】
また、表示装置が導通不良で故障した場合、上記の導通検査を行うことにより故障原因が表示装置本体１か個別装置１１かを判断することができる。
全ての第１のコネクタ４ａ〜４ｄ、第２のコネクタ１４に導通不良がない場合は、さらに、個別装置１１の自己診断を行う。
【００５８】
図１２は、本発明の実施形態に係る検査方法を例示する他のフローチャートである。
図１２に表したように、表示部２は、個別装置１１に自己診断信号を送信する（ステップＳ２０）。
なお、自己診断信号は、図１０において説明した導通検査信号と同じでもよく、また、別信号でもよい。
【００５９】
すなわち、図１０において説明した導通検査の完了後に、導通検査信号をもとに戻すことにより自己診断信号を送信することができる。例えば、導通検査信号を端子８ａまたは８ｆをハイレベルにして送信した後、導通検査完了後に、端子８ａまたは８ｆをローレベルに戻した場合を自己診断信号とすることができる。
【００６０】
また、自己診断信号は、導通検査信号とは別のデータとして、端子８ａまたは８ｆに送信してもよい。
個別装置１１から返信が有るか確認する（ステップＳ２１）。
個別装置１１から返信が確認できない場合（ステップＳ２１：Ｎｏ）、ステップＳ２４に進む。
個別装置１１から返信が有った場合（ステップＳ２１：Ｙｅｓ）、正常な返信か確認する（ステップＳ２２）。個別装置１１の自己診断の結果、個別装置１１に故障が有る場合は、異常値を返信して故障原因を通知することができる。
【００６１】
なお、個別装置１１は、自己診断の結果、故障を検知した場合でも、表示装置本体１に返信しないことにより、故障を通知してもよい。
正常な返信を確認した場合（ステップＳ２２：Ｙｅｓ）、表示部２に検査完了問題なしの表示をして完了する（ステップＳ２３）。
【００６２】
正常な返信を確認できない場合（ステップＳ２２：Ｎｏ）、ステップＳ２４に進む。
ステップＳ２４において、表示部２に個別装置１１の異常を表示して検査を完了する。このステップＳ２４で検査を完了した場合、個別装置１１に故障があることを特定できる。なお、個別装置１１の自己診断は、例えば機能部１２により制御される。
【００６３】
ところで、表示装置本体の導通検査を行うためには、個別装置１１の機能部１２はなくてもよい。すなわち、導通検査を行う場合は、第２のコネクタの複数の端子が第２の状態となるように接続された検査用の個別装置を用いる検査方法も可能である。
図１３は、本発明の実施形態に係る個別装置の構成を例示するブロック図である。
図１３に表したように、個別装置１１ａは、第２の接続部１３ａを備える。個別装置１１ａは、検査用の個別装置である。
【００６４】
第２の接続部１３ａは、表示装置本体に接続するための第２のコネクタ１４を有する。また、第２のコネクタ１４の互いに隣接する端子１８ａ〜１８ｆは、それぞれ一対ずつ接続された第１の状態となっている。すなわち、端子１８ａと１８ｂ、１８ｃと１８ｄ、１８ｅと１８ｆがそれぞれ一対ずつ接続されている。
【００６５】
検査用の個別装置１１ａを使用した場合は、個別装置にリレー回路、機能部など検査回路を加える場合に比べ、簡易的に検査を行うことが出来る。
個別装置１１ａは、ユーザによる検査に加え、製造工程やディーラによる検査に用いることも想定したものである。
【００６６】
図１３に表したように、個別装置１１ａはリレー回路を持たず、第１の接続部３の第１のコネクタ４ａ〜４ｄへ接続すると、必ず第２のコネクタ１４がデイジーチェーンで接続される。
そのため個別装置側の第２のコネクタ１４に異常があることはなくなる。従って、導通検査時のリターン信号が確認できない場合は、即座に第１の接続部３の第１のコネクタ４ａ〜４ｄに異常があることがわかる。
【００６７】
また、導通検査時のリターン信号が確認できた場合は、自己診断機能を有する他の個別装置１１に差し替えて、自己診断の検査を実行することができる。
なお、個別装置１１ａにおいては、第２のコネクタ１４の互いに隣接する端子１８ａ〜１８ｆがそれぞれ一対ずつ接続している。しかし、本発明はこれに限定されるものではなく、検査用の個別装置の第２のコネクタの複数の端子は、表示装置本体に接続されたときに第２のコネクタの複数の端子がデイジーチェーン接続となればよい。
【００６８】
図１４は、本発明の実施形態に係る検査方法を例示する他のフローチャートである。
図１４においては、検査用の個別装置１１ａを用いる導通検査方法を例示している。
まず、表示部２に検査用の個別装置の接続指示の表示をする（ステップＳ３０）。なお、第１のコネクタ４ａ〜４ｄを複数備える場合は、どの第１のコネクタに接続すべきかを表示してもよい。
【００６９】
検査用の個別装置が接続されたかを確認する（ステップＳ３１）。
接続を確認できない場合（ステップＳ３１：Ｎｏ）、ステップＳ３０に戻り表示を継続する。
接続を確認できた場合（ステップＳ３１：Ｙｅｓ）、ステップ３２に進む。なお、図１０と同様に、第１のコネクタ４ａ〜４ｄを複数備える場合、全ての第１のコネクタ４ａ〜４ｄに対して導通検査を実施したか判断してもよい。
【００７０】
ステップＳ３２で、表示装置本体１から検査信号を送信して、第１のコネクタ４ａを第１の状態にする。すなわち、第１及び第２のコネクタの複数の端子がデイジーチェーン接続される状態にする。なお、検査信号の送信は、表示部２に接続されている第１のコネクタ４ａの端子８ａまたは８ｆに第２の状態と異なるハイレベルまたはローレベルの信号を出力することにより可能である。また、端子８ａまたは８ｆに特定のデータを出力してもよい。
【００７１】
表示装置本体１から、導通検査信号を送信する（ステップＳ３３）。なお、導通検査信号は、上記のステップＳ３２における検査信号と同じでもよい。すなわち、端子８ａまたは８ｆを第２の状態と異なるハイレベルまたはローレベルとする。また、検査信号と別信号でもよく、例えば検査信号と異なる特定のデータを出力してもよい。
【００７２】
リターン信号を確認する（ステップＳ３４）。なお、リターン信号は、例えば端子８ａまたは８ｆに導通検査信号を送信した場合は、端子８ｆまたは８ａにリターンされる信号である。
【００７３】
リターン信号が確認できた場合（ステップＳ３４：Ｙｅｓ）、第１及び第２のコネクタの導通が確認できたことになり、導通検査は完了する。
リターン信号が確認できない場合（ステップＳ３４：Ｎｏ）、第１及び第２のコネクタの導通が確認できないことなり、ステップＳ３６に進む。
表示部２にコネクタ異常の表示をして完了する（ステップＳ３６）。
【００７４】
第１及び第２コネクタの導通が確認できた場合、個別装置１１に差し替えて、図１２に表した自己診断検査を行うことができる。
個別装置を用いて導通検査を行う場合は、個別装置は、第２のコネクタの端子を第２の状態から第１の状態に切替える必要がある。一方図１２に表した自己診断においては、第２のコネクタの端子は通常使用状態の第２の状態で行える。
【００７５】
従って、個別装置を導通検査に用いない場合は、個別装置は、第２のコネクタの端子が通常使用状態の第２の状態のまま変化しない構成とすることもできる。この場合、個別装置は自己診断機能のみ備えればよい。
【００７６】
ところで、導通検査の結果、表示装置本体１の第１のコネクタに導通不良が発見された場合は、第１のコネクタを交換するなどの修理が必要となる。
その場合、第１の接続部３を交換することも可能であるが、導通不良が発見された第１のコネクタを含む部分だけ交換できれば、簡単に修理できる。
【００７７】
図１５は、本発明の実施形態に係る表示装置本体の他の構成を例示するブロック図である。
本具体例においては、第１の接続部のうちで、第１のコネクタを含む部分が着脱可能に設けられている。すなわち、第１のコネクタを含む部分を交換することができる。
図１５に表したように、表示装置本体１ａにおいては、第１のコネクタ４ａ〜４ｄ及びリレー回路５ａ〜５ｄは、コネクタユニット２１ａ〜２１ｄとして第１の接続部３ａから着脱可能に設けられている点が図１に表した表示装置本体１と異なる。なお、図１５においては、４つのコネクタユニット２１ａ〜２１ｄを有する場合を例示しているが、１つでもよく任意数のコネクタユニットを有してもよい。
【００７８】
すなわち、コネクタユニット２１ａ〜２１ｄは、第２のコネクタ４ａ〜４ｄ、リレー回路５ａ〜５ｄ、コネクタ２３ａ〜２３ｄを有し、第１の接続部３のコネクタ２２ａ〜２２ｄに接続される。
そして、コネクタ２３ａ〜２３ｄとコネクタ２２ａ〜２２ｄとの接続を解除して、導通不良が発見されたコネクタユニット２１ａ〜２１ｄを交換することができる。
これにより、導通不良が発見された箇所のみを交換すればよいため、安価にシステムを提供できる。
【００７９】
なお、図１５においては、４つのコネクタユニット２１ａ〜２１ｄを有する場合を例示しているが、１つでもよく、任意数のコネクタユニットを有してもよい。
このように、表示装置を表示装置本体１と個別装置１１とに分離して構成することにより、選択的に機能を拡張できるとともに、第２の接続部分での故障検査及び修理も容易である。
【００８０】
また、例えば車載製品は、車載品質を保つ必要がある。しかし、表示装置を表示装置本体と個別装置とに物理的に切り分けることで、切り分けた一部機能に対しては車載品質で構成しなくても良い場合がある。すなわち、切り分けた一部機能は、個別装置とし、個別装置を表示装置本体へ接続することで、表示装置の機能を拡張できる。しかし、車載品質で構成しない場合、接続時の車の振動や熱等の問題により、車載品質の製品に比べ故障率が高いことも想定される。
この場合も、本発明の実施形態に係る表示装置本体、個別装置は、故障検査及び修理が容易である。  
【００８１】
以上、具体例を参照しつつ、本発明の実施形態について説明した。しかし、本発明は、これらの具体例に限定されるものではない。例えば、表示装置本体、個別装置、表示装置及び検査方法を構成する各要素の具体的な構成に関しては、当業者が公知の範囲から適宜選択することにより本発明を同様に実施し、同様の効果を得ることができる限り、本発明の範囲に包含される。
また、各具体例のいずれか２つ以上の要素を技術的に可能な範囲で組み合わせたものも、本発明の要旨を包含する限り本発明の範囲に含まれる。
【００８２】
その他、本発明の実施形態として上述した表示装置本体、個別装置、表示装置及び検査方法を基にして、当業者が適宜設計変更して実施し得る全ての表示装置本体、個別装置、表示装置及び検査方法も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【符号の説明】
【００８３】
１、１ａ  表示装置本体
２  表示部
３、３ａ  第１の接続部
４ａ〜４ｄ  第１のコネクタ
５ａ〜５ｄ、１５  リレー回路
６、６ａ〜６ｄ  第１のコネクタの信号線
８ａ〜８ｇ  第１のコネクタの端子
１０  制御部
１１、１１ａ  個別装置
１２  機能部
１３、１３ａ  第２の接続部
１４  第２のコネクタ
１６  第２のコネクタの信号線
１７  機能部の信号線
１８ａ〜１８ｇ  第２のコネクタの端子
２１ａ〜２１ｄ  コネクタユニット
２２ａ〜２２ｄ、２３ａ〜２３ｄ  コネクタ
【図１】
2011057014.tif 000003
【図２】
2011057014.tif 000004
【図３】
2011057014.tif 000005
【図４】
2011057014.tif 000006
【図５】
2011057014.tif 000007
【図６】
2011057014.tif 000008
【図７】
2011057014.tif 000009
【図８】
2011057014.tif 000010
【図９】
2011057014.tif 000011
【図１０】
2011057014.tif 000012
【図１１】
2011057014.tif 000013
【図１２】
2011057014.tif 000014
【図１３】
2011057014.tif 000015
【図１４】
2011057014.tif 000016
【図１５】
2011057014.tif 000017